(57)【要約】【課題】ＤＶＲサーバ及びＤＶＲサーバに接続される電子機器間及びラックに整合性をもって関係づけられ、整然として一体感があり、美観を保てる監視システム用ラックを提供する。【解決手段】ラック１は、天板１１及び底板１２と、平行に延びる一対の前架１ａ・１ｂ及び一対の後架１ｃ・１ｄと、を有し、一対の前架１ａ・１ｂ及び一対の後架１ｃ・１ｄが互いに対向し、かつ天板１１及び底板１２に連結する。複数の監視機器２は、一対の前架１ａ・１ｂに架設される各パネル２１を備え、各パネル２１は、同じ幅に形成され、かつ一定の高さを単位としてこの単位の整数倍の高さに形成され、各パネル２１は、高さ方向に連続して実装されることを可能とする。【選択図】        図１
2006352027.tif 000002
【特許請求の範囲】
【請求項１】
天板及び底板と、平行に延びる一対の前架及び一対の後架と、を有し、これら一対の前架及び一対の後架が互いに対向し、かつ前記天板及び底板と連結し、複数の監視システム機器を実装するラックであって、
前記複数の監視システム機器は、前記一対の前架及び一対の後架の対向間隔より狭い幅を有する一対の側面を形成する各ユニットシャーシを有し、
前記各ユニットシャーシの一対の側面を支持する一対のガイド板を備え、
この一対のガイド板は、前記監視システム機器のパネルと面一に当該パネルの両翼に延出して前記一対の前架に架設される一対の張り出し片を有し、
前記各パネルの両端は同じ幅に形成され、かつ前記各一対のガイド板及びパネルは一定の高さを単位としてこの単位の整数倍の高さに形成され、
前記各一対の張り出し片及びパネルは、高さ方向に連続して実装されることを可能とする監視システム用ラック。
【請求項２】
前記一対の張り出し片及び前記パネルが一体となったブランクパネルを含む請求項１記載の監視システム用ラック。
【請求項３】
前記一対のガイド板は、前記ユニットシャーシが載置される第１及び第２載置片と、これらの載置片が折り曲げられて前記一対の側面に固定される第１及び第２折曲片と、これら一対の折曲片と直交して前記一対の前架の外側に実装される第１及び第２張り出し片と、を備える請求項１又は２記載の監視システム用ラック。
【請求項４】
前記一対の前架及び一対の後架を覆う一対の側面板を有し、この一対の側面板のいずれか一方の側面板の内側に、ＡＣアダプタを含むケーブルが載置可能な棚が多段に設けられる請求項１から３のいずれかに記載の監視システム用ラック。
【請求項５】
前記底板は前記天板より面積が大きい請求項１から４のいずれかに記載の監視システム用ラック。
【請求項６】
前記底板の前架側は緩やかな円弧状に延出している請求項１から５のいずれかに記載の監視システム用ラック。
【請求項７】
前記各ユニットシャーシは、前記一対の後架から突出している請求項１から６のいずれかに記載の監視システム用ラック。
【請求項８】
上面開口が開閉自在なカバーで蓋われており、このカバーが施錠可能な収容箱が前記底板に設置される請求項１から７のいずれかに記載の監視システム用ラック。
【発明の詳細な説明】
【技術分野】
【０００１】
本発明は監視システム用ラックに関する。特に、監視カメラを用いる監視システム用ラックの構造に関する。
【背景技術】
【０００２】
近年では、防犯や防災を目的として、ＣＣＴＶ（Ｃｌｏｓｅｄ  Ｃｉｒｃｕｉｔ  Ｔｅｌｅｖｉｓｏｉｎ）カメラを始めとする監視カメラを用いたディジタル映像監視システムが店舗、施設、工場などに普及している。このディジタル監視システムは、防犯や防災の目的に限定されることなく、ＤＶＲ（Ｄｉｇｉｔａｌ  Ｖｉｄｅｏ  Ｒｅｃｏｒｄｅｒ）がサーバとしての機能（いわゆる、ビデオサーバ）を有し、例えばインターネットによるネットワークを利用して、展示会やスポーツなどのイベントを動画像として遠隔地に配信することもできる。
【０００３】
このようなＤＶＲサーバを中核とした監視システムの受信・中央処理部（情報処理部）は、ＣＣＴＶカメラで撮像した動画像データを記録する、例えばＨＤＤ（ハードディスクドライブ）などの記憶装置を設置することがある。又、記録して保存した動画像データを画面表示するＬＣＤ（Ｌｉｑｕｉｄ  Ｃｒｙｓｔａｌ  Ｄｉｓｐｌａｙ）モニタを設置する場合もあり、監視場所の音声を出力するアンプ及びスピーカを設置する場合もある。
【０００４】
前述のようなＤＶＲシステムは、例えば、パチンコやスロットなどの遊技機を監視カメラで監視するシステムとして応用されている。そして、より簡単に特定の遊技機に加えられる不正行為を発見できる遊技機の監視システムが考案されている（例えば、特許文献１参照）。
【０００５】
特許文献１による遊技機の監視システムは、ＤＶＲサーバには、ＣＣＴＶカメラが接続されており、撮影した動画像データがＤＶＲサーバに内蔵されたＨＤＤに格納される。遊技機は、開閉可能なフロントパネルにマグネットスイッチを備えている。フロントパネルが開かれると、マグネットスイッチがオンしたことをＤＶＲサーバが検出し、その検出時刻を動画像データに関するログとして記録する。したがって、遊技機に対する不正行為を発見する際には、膨大な動画像データをモニタで見る場合であっても、検出時刻を手がかりにして当たりを付けて調べることができる、としている。
【０００６】
特許文献１において、店舗内の遊技場には、複数の遊技機と、遊技場の遊技機を撮影する監視カメラとしてのＣＣＴＶカメラが備わっている。一方、店舗内の事務室には、ＤＶＲサーバが備わっている。ＤＶＲサーバは、第１の配線を介して、前述した遊技機のマグネットスイッチと電気的に接続されており、第２の配線を介して、遊技場に据え付けたＣＣＴＶカメラに電気的に接続されている。
【０００７】
ＤＶＲサーバの筐体上にはモニタが設置され、このモニタには各ＣＣＴＶカメラで撮影された動画像データを単独又は一括して表示したり、ＤＶＲサーバの操作画面などが表示される。ＤＶＲサーバに接続されたスピーカは、ＤＶＲサーバからの音声出力を受けて、音声を放送する。又、ＤＶＲサーバにはモデムが接続され、店舗外のインターネット網へ接続可能としている。ＤＶＲサーバは、例えばノート型コンピュータやＰＤＡ、携帯電話機などの外部端末による遠隔監視制御が可能とされており、動画像データの閲覧やＤＶＲサーバの機能制御などが店舗外からできるようになっている。
【０００８】
ＤＶＲサーバには、店舗内の各店員が装着するコミュニケーションレシーバとの間で無線通信する通信装置が接続されている。したがって、ＤＶＲサーバからの所定の音声の出力命令が送出されると、通信装置は、各店員のコミュニケーションレシーバに対して当該音声を送信し、各店員はそれを聞くことができるようになっている。
【特許文献１】登録実用新案第３０９９６８５号公報
【発明の開示】
【発明が解決しようとする課題】
【０００９】
特許文献１において、店舗内の事務室には、ＤＶＲサーバの筐体上にモニタが設置されている。このＤＶＲサーバには、モニタの他にモデム、スピーカ及び通信装置がケーブル接続されている。特許文献１のみならず、一般に、ＤＶＲサーバ及びＤＶＲサーバに接続される複数の電子機器は、例えば、机上に雑然と置かれている設置環境である。これらの電子機器をラックに搭載して、これらの電子機器を整然と配置すると共に、フロアースペースを確保することが望ましい。
【００１０】
そして、ＤＶＲサーバを主体とする監視システムとしては、ＤＶＲサーバ及びＤＶＲサーバに接続される電子機器とラックが関係づけられ、整然として一体感があり、美観を保てるラックが考えられてもよい。又、このような監視システムは、電源ケーブルや接続ケーブルがフロアーに這い回っているのが現状であるが、これらケーブルがラックに収納されると見栄えもよくなり、ケーブルを損傷する可能性が低くなる。
【００１１】
更に、ＤＶＲサーバ及びＤＶＲサーバに接続される電子機器は、メーカーが異なればシャーシの形状及びパネルの外観が異なるので、これら電子機器におけるシャーシの形状及びパネルの外観に整合性を与える構造が好ましい。監視システムの拡張及び互換性が保てる構造であれば、更に好ましく、放熱対策もラックと関係づけられ電子機器間で統一されていることが好ましい。つまり、これらが本発明の課題といってよい。
【００１２】
本発明は、このような課題に鑑み、ＤＶＲサーバ及びＤＶＲサーバに接続される電子機器間及びラックに整合性をもって関係づけられ、整然として一体感があり、美観を保てる監視システム用ラックを提供することを目的とする。
【課題を解決するための手段】
【００１３】
発明者は、上記目的を満たすため、ラックに搭載されるＤＶＲサーバを主体とする電子機器は、ＪＩＳ又は米国のＥＩＡ（Ｅｌｅｃｔｒｏｎｉｃ  Ｉｎｄｕｓｔｒｉｅｓ  Ａｌｌｉａｎｃｅ：電子工業会）規格のラックマウントタイプに準じた構造とし、ラックは、これら電子機器の後方が外部に露出される半キャビネットタイプとし、これら電子機器の側面とラックの側面の間にケーブル収納空間を設ける構造とし、以下のような新たな監視システム用ラックを発明した。
【００１４】
（１）  天板及び底板と、平行に延びる一対の前架及び一対の後架と、を有し、これら一対の前架及び一対の後架が互いに対向し、かつ前記天板及び底板と連結し、複数の監視システム機器を実装するラックであって、前記複数の監視システム機器は、前記一対の前架及び一対の後架の対向間隔より狭い幅を有する一対の側面を形成する各ユニットシャーシを有し、前記各ユニットシャーシの一対の側面を支持する一対のガイド板を備え、この一対のガイド板は、前記監視システム機器のパネルと面一に当該パネルの両翼に延出して前記一対の前架に架設される一対の張り出し片を有し、前記各パネルの両端は同じ幅に形成され、かつ前記各一対のガイド板及びパネルは一定の高さを単位としてこの単位の整数倍の高さに形成され、前記各一対の張り出し片及びパネルは、高さ方向に連続して実装されることを可能とする監視システム用ラック。
【００１５】
（１）の発明のラックは、天板及び底板と、平行に延びる一対の前架及び一対の後架と、を有している。一対の前架及び一対の後架は互いに対向している。一対の前架及び一対の後架は、天板及び底板に連結している。そして、このラックは、複数の監視システム機器を実装する。
【００１６】
例えば、天板及び底板は板金の周囲が折り曲げ形成された箱形状としてもよく、一対の前架及び一対の後架は板金を折り曲げてアングル部材又はＣ形チャンネル部材の形状にしてもよい。例えば、一対の側面板の両端部を折り曲げて、互いに対向する折り曲げ片を形成し、この折り曲げ片の部位を一対の前架及び一対の後架としてもよい。一対の前架及び一対の後架は、連結金具を用いて天板及び底板に連結されてもよく、一対の前架及び一対の後架は、溶接により天板及び底板に連結されてもよい。
【００１７】
（１）の発明のラックは、複数の監視システム機器が、一対の前架及び一対の後架の対向間隔より狭い幅を有する一対の側面を形成する各ユニットシャーシを有している。そして、各ユニットシャーシの一対の側面を支持する一対のガイド板を備えている。一対のガイド板は、監視システム機器のパネルと面一に、パネルの両翼に延出して前記一対の前架に架設される一対の張り出し片を有している。各パネルの両端は同じ幅に形成され、かつ各一対のガイド板及びパネルは一定の高さを単位としてこの単位の整数倍の高さに形成されている。各一対の張り出し片及びパネルは、高さ方向に連続して実装されることを可能としている。
【００１８】
複数の監視システム機器は、ＤＶＲサーバを主体としてよく、この監視システム機器は、例えばＤＶＲサーバに接続されるＬＣＤモニタ、ＶＴＲ、スピーカ付きアンプを含んでよい。ＨＤＤ又はＣＤ−ＲＷドライブはＤＶＲサーバに内蔵されてもよい。
【００１９】
各ユニットシャーシの一対の側面は、一対の前架及び一対の後架の対向間隔より狭い幅を有しているので、各ユニットシャーシの側面にケーブルを敷設するための空間を形成することができる。ここで、各ユニットシャーシは略直方体に形成され、各ユニットシャーシの幅は統一されていることを意味している。例えば、２Ｕのパネルであれば、ユニットシャーシは２Ｕの高さであってもよい。このラックに配置される監視システム機器の種別に応じて、適宜組み合わされる。
【００２０】
一対の張り出し片は一対の前架に架設されるとは、一対の張り出し片の両翼がねじなどの締結具で一対の前架に固定されることであってよい。したがって、一対の張り出し片の両翼に複数のねじ取付け用の穴が設けられてよく、このねじ取付け用の穴は１９インチラックに関するＪＩＳに基づく切り欠き穴であってよく、１９インチラックに関するＥＩＡに基づく長円穴であってもよい。
【００２１】
例えば、各一対の張り出し片及びパネルは、４８２．６ｍｍの同じ幅に形成され、高さが４４．４５ｍｍ（１．７５インチ＝１Ｕ）を単位として、この単位の整数倍の高さに形成される。そして、一対の前架には、高さ方向に１５．８７５ｍｍ−１５．８７５ｍｍ−１２．７ｍｍの繰り返しピッチでめねじが設けられる。又、例えば、各一対の張り出し片及びパネルは、高さが５０ｍｍを単位として、この単位の整数倍の高さに形成されてもよい。そして、一対の前架には、高さ方向に５０ｍｍの繰り返しピッチで、めねじが設けられる。
【００２２】
そして、各一対の張り出し片及びパネルが高さ方向に連続して実装されることを可能としている。そして、各一対の張り出し片及びパネルが高さ方向に連続して実装されるために、各一対の張り出し片及びパネル間には間隙が設けられる。例えば、一対の張り出し片及びパネルの高さを１Ｕ＝４３．７ｍｍ、２Ｕ＝８８．１として各一対の張り出し片及びパネル間には間隙が設けられる。
【００２３】
複数の監視システム機器のラックへの設置位置は、高さ方向に自由に入れ替えが可能であり、例えば、ＬＣＤモニタを最上段に架設し、その下段にＤＶＲサーバを架設し、次に、ＶＴＲ、スピーカ付きアンプを架設することもできる。監視システム機器用ラックの使用環境に合わせて、ＬＣＤモニタを中段に配置することもできる。必要に応じて、後述するブランクパネルを監視システム機器間に架設してもよい。
【００２４】
このように、本発明は、複数の監視システム機器のパネルがラックに統一性をもって整然と実装されることにより、フロアースペースを確保でき、美観を保つことができる。例えば、このラックを正面から観たときに、パネルの両端は平行する直線として認識される。なお、統一性を向上させるために、各一対の張り出し片及びパネルを同一色とすることが好ましい。
【００２５】
（２）  前記一対の張り出し片及び前記パネルが一体となったブランクパネルを含む（１）記載の監視システム用ラック。
【００２６】
例えば、このブランクパネルは、監視システム機器のパネルと正面視同形状のパネルを有している。このパネルは、四方が折り曲げ形成された箱型に形成されている。又、ブランクパネルは一対の張り出し片を有している。この一対の張り出し片は、Ｌ字状のアングル部材であってよく、一対の張り出し片の各一片が前記パネルの側面に接合されて一体としてよい。そして、一対の張り出し片の各他片が一対の前架に架設される。
【００２７】
このブランクパネルは、ラック前面の美観を保つために配置されるのであるが、ユニットシャーシ間にケーブルを敷設するための空間を設ける目的で、一対の前架にブランクパネルを架設してもよい。
【００２８】
（３）  前記一対のガイド板は、前記ユニットシャーシが載置される第１及び第２載置片と、これらの載置片が折り曲げられて前記一対の側面に固定される第１及び第２折曲片と、これら一対の折曲片と直交して前記一対の前架の外側に実装される第１及び第２張り出し片と、を備える（１）又は（２）記載の監視システム用ラック。
【００２９】
（３）の発明は、一対のガイド板は、ユニットシャーシが載置される第１及び第２載置片を備えている。又、一対のガイド板は、一対の載置片が折り曲げられて、一対の側面に固定される第１及び第２折曲片を備えている。更に、一対のガイド板は、一対の折曲片と直交して、一対の前架の外側に実装される第１及び第２張り出し片を備えている。
【００３０】
各監視システム機器はパネルとユニットシャーシで構成されている。例えば、各監視システム機器は、箱形に形成されている。例えば、重量のある監視システム機器は、このラックに取り付けられたときに、パネルに対向するユニットシャーシの後端部が下がることがある。この一対のガイド板は、例えば、重量のある監視システム機器をラックに架設するための補助具であって、この一対のガイド板をラックに配置することにより、ユニットシャーシの後端部が下がることを防止できる。一対の第１及び第２張り出し片に対向する一対の第３及び第４張り出し片を一対のガイド板に設け、一対の第３及び第４張り出し片を一対の後架に固定すれば、重量のある監視システム機器を更に強固に支持できる。
【００３１】
ここで、一方のガイド板は、第１載置片と第１折曲片及び第１張り出し片を含んでよく、更に、第３張り出し片を含んでもよい。他方のガイド板は、第２載置片と第２折曲片及び第２張り出し片を含んでよく、更に、第４張り出し片を含んでもよい。一対のガイド板は、ユニットシャーシの一対の側面を規制してスライドできる機能を有してよく、当該一対の折曲片が当該一対の側面に当接して、ねじなどの締結具で一対の側面に固定される。一対のガイド板は、金属板を折り曲げ加工して所望の形状を得ることができる。例えば、軽量の監視システム機器は、第１及び第２折曲片と第１及び第２張り出し片のみで構成されるアングル部材となる一対のガイド板で架設されてもよく、第１及び第２折曲片が一対の側面に固定され、第１及び第２折曲片が前架に実装される。
【００３２】
（４）  前記一対の前架及び一対の後架を覆う一対の側面板を有し、この一対の側面板のいずれか一方の側面板の内側に、ＡＣアダプタを含むケーブルが載置可能な棚が多段に設けられる（１）から（３）のいずれかに記載の監視システム用ラック。
【００３３】
（４）の発明は、ＡＣアダプタを含むケーブルがラック外に露出されることなく、棚に収容される。例えば、この棚は、板金を折り曲げ加工して凹字状に形成される。そして、この棚の一方の立設片が側面板にねじなどの締結具で固定されてもよい。この棚の底面に、ＡＣアダプタ付きのケーブルが載置される。
【００３４】
（５）  前記底板は前記天板より面積が大きい（１）から（４）のいずれかに記載の監視システム用ラック。
【００３５】
例えば、このラックは、前架の前方及び後架の後方に底板が延出しており、床面積を広くすることにより、地震などによるラックの転倒を防止することが配慮されている。
【００３６】
（６）  前記底板の前架側は緩やかな円弧状に延出している（１）から（５）のいずれかに記載の監視システム用ラック。
【００３７】
例えば、底板には複数のレベルフットが設けられ、底板の四隅にレベルフットを配置すると共に、円弧状に延出した底板の前架側中央に、レベルフットを配置して５点支持とすることにより、地震などによるラックの転倒対策が強化される。又、底板の前架側を緩やかな円弧状に延出することにより、美観を生じさせられると考えられる。
【００３８】
（７）  前記各ユニットシャーシは、前記一対の後架から突出している（１）から（６）のいずれかに記載の監視システム用ラック。
【００３９】
（７）の発明は、各ユニットシャーシが一対の後架から突出しているので、例えば、ユニットシャーシは、パネルと対向する後方の側面にファンを設け、ユニットシャーシ内部の発熱をラック内部に滞留させることなく外部に放熱できる。各ユニットシャーシは奥行きの長さが統一されることが美観の上からも好ましい。
【００４０】
（８）  上面開口が開閉自在なカバーで蓋われており、このカバーが施錠可能な収容箱が前記底板に設置される（１）から（７）のいずれかに記載の監視システム用ラック。
【００４１】
（８）の発明は、収容箱の上面開口が、開閉自在なカバーで蓋われている。そして、このカバーは施錠可能となっている。例えば、カバーの一端部は収容箱と回動自在に連結されてよく、カバーの一端部は、例えば、ロックキーなどで収容箱に施錠できるようにすることが好ましい。例えば、監視システム機器は秘密情報が格納されている。この監視システム機器の操作ボタンをリモートコントローラーでロックし、このリモートコントローラーを収容箱に入れて施錠しておくことにより、前記秘密情報を保全できる。取り扱い説明書をこの収容箱に保管してもよい。
【発明の効果】
【００４２】
本発明によるラックは、ＤＶＲサーバを主体とする監視システム用機器を架設する監視システム用ラックであって、ＤＶＲサーバ及びＤＶＲサーバに接続される電子機器とラックが関係づけられ、整然として一体感があり、美観を保てるラックを提供している。本発明による監視システム用ラックは、従来のように電源ケーブルや接続ケーブルがフロアーに這い回ることなく、これらケーブルが整然とラックに収納され、見栄えもよくなり、ケーブルを損傷する可能性を低くしている。
【００４３】
本発明による監視システム用ラックは、これら電子機器におけるシャーシの形状及びパネルの外観に整合性を与えている。又、監視システムの拡張及び互換性が保てる構造となっている。放熱対策もラックと関係づけられ電子機器間で統一されている。
【発明を実施するための最良の形態】
【００４４】
以下、図面を参照して本発明を実施するための最良の形態を説明する。
【００４５】
図１は、本発明による監視システム用ラック（以下、ラックと略称する）の一実施形態を示す正面図である。図１は、複数の監視システム機器がラックに架設された状態図である。図２は、前記実施形態によるラックの側面図である。図２は、図１の左側面図である。図３は、前記実施形態によるラックに架設される一対のガイド板の斜視外観図である。図４は、前記実施形態によるラックに架設される一対のガイド板及びパネルの正面図である。図４のパネルは、２Ｕの高さを有している。図５は、前記実施形態によるラックに架設される一対のガイド板及びパネルの正面図である。図５のパネルは、１Ｕの高さを有している。
【００４６】
図６は、前記実施形態によるラックの正面図である。図６は、複数の監視システム機器がラックに架設される前の状態図である。図７は、図６のＡ−Ａ矢視断面図である。図８は、前記実施形態によるラック内部の斜視外観図である。図９は、前記実施形態によるラックの平面図である。図９は、複数の監視システム機器がラックに架設される前の状態図である。図１０は、前記実施形態によるラックの背面図である。
【００４７】
図１１は、前記実施形態によるラックに架設されるＬＣＤ用パネルの正面図である。図１２は、前記実施形態によるラックに架設されるブランクパネルの図である。図１２（Ａ）はブランクパネルの正面図、図１２（Ｂ）はブランクパネルの側面である。図１３は、前記実施形態によるラックに装着される１Ｕのトレーの図である。図１３（Ａ）はトレーの正面図、図１３（Ｂ）はトレーの側面である。図１４は、前記実施形態によるラックに装着される２Ｕのトレーの図である。図１４（Ａ）はトレーの正面図、図１４（Ｂ）はトレーの側面である。
【００４８】
最初に、本発明によるラックの構成を説明する。図６から図９において、ラック１は、天板１１及び底板１２を有している。ラック１は、平行に延びる一対の前架１ａ・１ｂ及び一対の後架１ｃ・１ｄを有している。一対の前架１ａ・１ｂ及び一対の後架１ｃ・１ｄは互いに対向している。一対の前架１ａ・１ｂ及び一対の後架１ｃ・１ｄは、天板１１及び底板１２に連結している。
【００４９】
図６から図９において、天板１１の前縁及び後縁には、対向する一対の折り曲げ片が形成されており、この一対の折り曲げ片が前架１ａ・１ｂ及び後架１ｃ・１ｄの一方の端部側と、ねじ止めにより連結されている。一方、底板１２にはチャンネル部材１ｅが固定されており、チャンネル部材１ｅが前架１ａ・１ｂ及び後架１ｃ・１ｄの他方の端部側と、ねじ止めにより連結されている。
【００５０】
図２及び図９参照において、前架１ａ及び後架１ｃは、板金の両端部が折り曲げ形成されたチャンネル部材からなり、中央部はラック１の側面板１１１となっている。前架１ｂ及び後架１ｄは、板金の両端部が折り曲げ形成されたチャンネル部材からなり、中央部はラック１の側面板１１２となっている。そして、一対の後架１ｃ・１ｄにチャンネル部材である一対のケーブル架１ｆ・１ｇが連結している。
【００５１】
図１及び図２において、複数の監視システム機器（以下、監視機器という）２は、一対の前架１ａ・１ｂ及び一対の後架１ｃ・１ｄの対向間隔より狭い幅を有する一対の側面を形成する各ユニットシャーシ２２を有している。そして、各ユニットシャーシ２２の一対の側面を支持する一対のガイド板５１・５２を備えている。（図３参照）。
【００５２】
図３において、一対のガイド板５１・５２は、監視機器２のパネル２１と面一に、パネル２１の両翼に延出して一対の前架１ａ・１ｂに架設される一対の張り出し片５１１・５２１を有している。各一対の張り出し片５１１・５２１及びパネル２１は、同じ幅に形成され、かつ一定の高さを単位としてこの単位の整数倍の高さに形成されている。各一対の張り出し片５１１・５２１及びパネル２１は、高さ方向に連続して実装されることを可能としている（図１参照）。
【００５３】
複数の監視機器２は、ＤＶＲサーバを主体としてよく、監視機器２は、例えばＤＶＲサーバに接続されるＬＣＤモニタ、ＶＴＲ、スピーカ付きアンプを含んでよい。ＨＤＤ又はＣＤ−ＲＷドライブはＤＶＲサーバに内蔵されてもよい。
【００５４】
ここで、一対の張り出し片５１１・５２１は一対の前架１ａ・１ｂに架設されるとは、一対の張り出し片５１１・５２１の両翼がねじなどの締結具で、図中矢印Ａの方向から一対の前架１ａ・１ｂに固定されることであってよい（図３参照）。したがって、一対の張り出し片５１１・５２１の両翼に複数のねじ取付け用の穴が設けられてよく、このねじ取付け用の穴は１９インチラックに関するＪＩＳに基づく切り欠き穴であってよく、１９インチラックに関するＥＩＡに基づく長円穴であってもよい（図３参照）。
【００５５】
例えば、各一対の張り出し片５１１・５２１及び各パネル２１は、４８２．６ｍｍの同じ幅に形成され、高さが４４．４５ｍｍ（１．７５インチ＝１Ｕ）を単位として、この単位の整数倍の高さに形成される。そして、一対の前架１ａ・１ｂには、高さ方向に１５．８７５ｍｍ−１５．８７５ｍｍ−１２．７ｍｍの繰り返しピッチでめねじ１１ａが設けられている（図６参照）。図６の実施形態において、このめねじ１１ａの対向ピッチＰは４６５ｍｍとした。
【００５６】
図６において、ラック１は、１Ｕを単位として２６Ｕの監視機器２を高さ方向に連続して実装されることを可能としている。そして、各一対の張り出し片５１１・５２１及びパネル２１が高さ方向に連続して実装されるために、各一対の張り出し片５１１・５２１パネル２１間には間隙が設けられる。例えば、パネル２１の高さを１Ｕ＝４３．７ｍｍ、２Ｕ＝８８．１として各パネル２１間には間隙が設けられている。
【００５７】
例えば、図４に示されたＤＶＲサーバのパネル２１は２Ｕの高さになっている。図４に示されたＤＶＲサーバはＨＤＤ及びＣＤ−ＲＷドライブが内蔵されている。例えば、図４に示されたＤＶＲサーバのパネル２１は１Ｕの高さになっている。図５に示されたＤＶＲサーバはＨＤＤ及びＣＤ−ＲＷドライブを含んでいない。又、図１１に示されたＬＣＤ２ａ用のパネル２１ａは、９Ｕの高さになっている。パネル２１ａの幅ＷＰは４８２．６ｍｍであり、中央の開口は横幅ＷＦ＝４２３ｍｍ、縦幅＝３４３ｍｍである。
【００５８】
図１において、複数の監視機器２のラック１への設置位置は、高さ方向に自由に入れ替えが可能であり、例えば、ＬＣＤモニタ２ａを最上段に架設し、その下段にＤＶＲサーバを架設し、次に、ＶＴＲ、スピーカ付きアンプを架設することもできる。ラック１の使用環境に合わせて、ＬＣＤモニタ２ａを中段に配置することもできる。必要に応じて、後述するブランクパネル２１ｂ（図１２参照）を監視機器２間に架設してもよい。
【００５９】
このように、本発明は、複数の監視機器２のパネル２１がラック１に統一性をもって整然と実装されることにより、フロアースペースを確保でき、美観を保つことができる。なお、統一性を向上させるために、各一対の張り出し片５１１・５２１及びパネル２１を同一色とすることが好ましい。
【００６０】
図１において、複数の監視機器２は、一対の前架１ａ・１ｂ及び一対の後架１ｃ・１ｄの対向間隔より狭い幅を有する一対の側面を形成する各ユニットシャーシ２２を備えている（図２及び図３参照）。
【００６１】
ここで、各ユニットシャーシ２２の一対の側面は、一対の前架１ａ・１ｂ及び一対の後架１ｃ・１ｄの対向間隔より狭い幅を有しているので、各ユニットシャーシ２２の側面にケーブルを敷設するための空間を形成することができる。各ユニットシャーシ２２は略直方体に形成され、各ユニットシャーシ２２の幅は統一されている。各ユニットシャーシ２２は対応するパネル２１の高さに合わせられてよく、例えば、２Ｕのパネル２１であれば、ユニットシャーシ２２は２Ｕの高さであってもよい。ラック１に配置される監視機器２の種別に応じて、適宜組み合わされる。
【００６２】
そして、各パネル２１としては、図１２に示されるようなブランクパネル２１ｂを含んでいる。図１２において、ブランクパネル２１ｂは、一対の張り出し片２１ｍ・２１ｎとパネル２１ｐが一体となっている。
【００６３】
ブランクパネル２１ｂは、監視機器のパネル２１と正面視同形状のパネル２１ｐを有している。パネル２１ｐは、四方が折り曲げ形成された箱型に形成されている。又、ブランクパネル２１ｂは一対の張り出し片２１ｍ・２１ｎを有している。一対の張り出し片２１ｍ・２１ｎは、Ｌ字状のアングル部材であってよく、一対の張り出し片２１ｍ・２１ｎの各一片がパネル２１ｐの側面に接合されて一体となっている。
【００６４】
そして、一対の張り出し片２１ｍ・２１ｎの各他片が一対の前架１ａ・１ｂに架設される。なお、図１２は１Ｕのブランクパネル２１ｂを示している。１Ｕのブランクパネル２１ｂを二つ組み合わせて、２Ｕのブランクパネル２１ｂとしてもよい。
【００６５】
ブランクパネル２１ｂは、前述したように、ラック１の前面の美観を保つために配置されるのであるが、ユニットシャーシ２２間にケーブルを敷設するための空間を設ける目的で、一対の前架１ａ・１ｂにブランクパネル２１ｂを架設してもよい。
【００６６】
図３において、一対のガイド板５１・５２は、ユニットシャーシ２２が載置される第１及び第２載置片５１２・５２２を備えている。又、一対のガイド板５１・５２は、一対の載置片５１２・５２２が折り曲げられて、ユニットシャーシ２２の一対の側面に固定される第１及び第２折曲片５１３・５２３を備えている。更に、一対のガイド板５１・５２は、一対の折曲片５１３・５２３と直交して、一対の前架の外側に実装される第１及び第２張り出し片５１１・５２１を備えている。
【００６７】
図１及び図２において、監視機器２はパネル２１とユニットシャーシ２２で構成されている。各監視機器２は、箱形に形成されている。例えば、重量のある監視機器２は、ラック１に取り付けられたときに、パネル２１に対向するユニットシャーシ２２の後端部が下がることがある（図２参照）。図３に示される一対のガイド板５１・５２は、例えば、重量のある監視機器２をラック１に架設するための補助具であって、一対のガイド板５１・５２をラック１に配置することにより、ユニットシャーシ２２の後端部が下がることを防止できる。
【００６８】
図３に示されるように、一対のガイド板５１・５２には、一対の第１及び第２張り出し片５１１・５２１に対向する一対の第３及び第４張り出し片５１４・５２４が設けられている。一対の第３及び第４張り出し片５１４・５２４が一対の後架１ｃ・１ｄに固定されることにより、重量のある監視機器２を更に強固に支持できる。
【００６９】
図３において、ガイド板５１は、第１載置片５１２と第１折曲片５１３及び第１張り出し片５１１を含んでいる。ガイド板５１は、第３張り出し片５１４を含んでもよい。ガイド板５２は、第２載置片５２２と第２折曲片５２３及び第２張り出し片５２１を含んでいる。ガイド板５２は、第４張り出し片５２４を含んでもよい。
【００７０】
図３において、一対のガイド板５１・５２は、ユニットシャーシ２２の一対の側面を規制してスライドできる機能を有している。一対の折曲片５１３・５２３が、ユニットシャーシ２２の一対の側面に当接して、ねじなどの締結具で一対の側面に固定される。一対のガイド板５１・５２は、金属板を折り曲げ加工して所望の形状を得ることができる。例えば、軽量の監視機器２は、第１及び第２折曲片５１３・５２３と第１及び第２張り出し片５１１・５２１のみで構成されるアングル部材となる一対のガイド板で架設されてもよく、第１及び第２折曲片５１３・５２３が一対の側面に固定され、第１及び第２折曲片５１１・５２１が一対の前架１ａ・１ｂに実装される。
【００７１】
図９において、ラック１は一対の前架１ａ・１ｂ及び一対の後架１ｃ・１ｄを覆う一対の側面板１１１・１１２を有している。そして、側面板１１１の内側に、ＡＣアダプタを含むケーブルが載置可能な棚６１が多段に設けられている（図７及び図８参照）。図８において、側面板１１１の内側に台６０が取り付けられており、台６０に棚６１が四つ取り付けられている。複数の棚６１は側面板１１２の内側にも取付け可能である。
【００７２】
このように、ＡＣアダプタを含むケーブルがラック外に露出されることなく、棚６１に収容される。例えば、棚６１は、板金を折り曲げ加工して凹字状に形成される。そして、棚６１の一方の立設片が側面板にねじなどの締結具で固定されている。棚６１の底面に、ＡＣアダプタ付きのケーブルが載置される（図８参照）。
【００７３】
一方、図１０において、一対のケーブル架１ｆ・１ｇはチャンネル部材で形成され、ケーブル架１ｆ・１ｇの片辺にケーブルが挿貫される複数の切り欠き溝１１ｆ・１１ｇが所定間隔で高さ方向に設けられている。図１０において、切り欠き溝１１ｆ・１１ｇはＵ字状に切り欠かれている。ケーブル架１ｆ・１ｇには、２組のコンセントを設けている（図７及び図９参照）。
【００７４】
例えば、ユニットシャーシ２２の背面パネルに接続されるケーブルは、切り欠き溝１１ｆ・１１ｇを通過して他の監視機器２に接続されてもよい。一対のケーブル架１ｆ・１ｇに複数の切り欠き溝１１ｆ・１１ｇが設けられることによりケーブルを整然と敷設できる。又、ケーブルを複数の切り欠き溝１１ｆ・１１ｇに周回するように挿貫することにより、いわゆるケーブル押さえとして機能させることにより、例えば、ケーブルが引っ張られたときに各監視機器２に不要の力が働くことを防止できる。
【００７５】
この発明によるラック１は、底板１２が天板１１より面積が大きくなっている。例えば、天板１１の横幅Ｗは６００ｍｍであり、底板１２の横幅はＷより大きくなっている（図６参照）。例えば、天板１１の奥行きＤは３０５ｍｍであり、底板１２は前方へＤ１＝１７０ｍｍ、後方へＤ２＝１９５ｍｍ、それぞれ突出している（図７参照）。なお、ラック１は、床面Ｇからの高さＨ１が１３９３ｍｍであり、底板１２の底面からの高さＨ２が１３５０ｍｍとなっている（図６参照）。
【００７６】
図９に示されるように、ラック１は、前架１ａ・１ｂの前方及び後架１ｃ・１ｄの後方に底板１２が延出しており、床面積を広くすることにより、地震などによるラック１の転倒を防止することが配慮されている。
【００７７】
そして、底板１２の前架側は緩やかな円弧状に延出している（図９参照）。底板１２の前架側を緩やかな円弧状に延出することにより、美観を生じさせられると考えられる。図６及び図７において、底板１２には４つのレベルフット付きキャスタ１３が設けられている。底板１２の四隅にレベルフットを配置すると共に、円弧状に延出した底板（円弧部１４）の前架側中央に、別のレベルフットを配置して５点支持とすることにより、地震などによるラック１の転倒対策が強化される。
【００７８】
又、図２において、各ユニットシャーシ２２は、一対の後架１ｃ・１ｄから突出しており、例えば、ユニットシャーシ２２は、パネル２１と対向する後方の側面にファンを設け、ユニットシャーシ２２内部の発熱をラック１内部に滞留させることなく外部に放熱できる。又、パネル２１と対向する後方の側面にスピーカを設けてもよい。各ユニットシャーシ２２は奥行きの長さが統一されることが、美観の上からも好ましい。
【００７９】
更に、このラック１には、収容箱４が底板１２に設置されている（図２及び図９参照）。収容箱４の上面開口は、開閉自在なカバー４１で蓋われている。（図９参照）。そして、カバー４１は施錠可能となっている。カバー４１の一端部は収容箱４と回動自在に連結されており、カバー４１の一端部は、ロックキー４２で収容箱４に施錠できる（図１及び図９参照）。
【００８０】
例えば、監視機器２は秘密情報が格納されている。監視機器２の操作ボタンをリモートコントローラーでロックし、このリモートコントローラーを収容箱４に入れて施錠しておくことにより、秘密情報を保全できる。取り扱い説明書を収容箱４に保管してもよい。
【００８１】
ラック１は、オプションとして、図１３及び図１４に示されるようなトレー３ａ・３ｂが用意されてもよい。図１３及び図１４において、トレー３ａ・３ｂは、各ユニットシャーシ２２が載置される載置板３１を有している。トレー３ａ・３ｂは、載置板３１の両翼が折り曲げられて、ユニットシャーシ２２の一対の側面に対向する一対の折曲片３２ａ・３２ｂを有している。そして、トレー３ａ・３ｂは、一対の折曲片３２ａ・３２ｂから一対の張り出し片３３ａ・３３ｂが相反する向きに延出している。一対の張り出し片３３ａ・３３ｂは、一対の前架１ａ・１ｂの外側に当接される。
【００８２】
トレー３ａ・３ｂは金属板を折り曲げ加工して所望の形状を得ることができる。図１３のトレー３ａは１Ｕの高さを有し、図１４のトレー３ｂは２Ｕの高さを有しているが、トレー３ａが２Ｕの高さを有し、トレー３ｂが１Ｕの高さを有してもよい。又、トレー３ａ・３ｂはユニットシャーシ２２とほぼ同じ奥行きＤＬ＝３６１ｍｍに形成され、上辺は斜面となっている。
【００８３】
本発明によるラックは、ＤＶＲサーバを主体とする監視システム用機器を架設する監視システム用ラックであって、ＤＶＲサーバ及びＤＶＲサーバに接続される電子機器とラックが関係づけられ、整然として一体感があり、美観を保てるラックを提供している。本発明による監視システム用ラックは、従来のように電源ケーブルや接続ケーブルがフロアーに這い回ることなく、これらケーブルが整然とラックに収納され、見栄えもよくなり、ケーブルを損傷する可能性を低くしている。
【図面の簡単な説明】
【００８４】
【図１】本発明による監視システム用ラックの一実施形態を示す正面図である。
【図２】前記実施形態による監視システム用ラックの側面図である
【図３】前記実施形態によるラックに架設される一対のガイド板の斜視外観図である。
【図４】前記実施形態による監視システム用ラックに架設される２Ｕの高さのパネルの正面図である。
【図５】前記実施形態による監視システム用ラックに架設される１Ｕの高さのパネルの正面図である。
【図６】前記実施形態による監視システム用ラックの正面図である。
【図７】図６のＡ−Ａ矢視断面図である。
【図８】前記実施形態によるラック内部の斜視外観図である。
【図９】前記実施形態による監視システム用ラックの平面図である。
【図１０】前記実施形態による監視システム用ラックの背面図である。
【図１１】前記実施形態による監視システム用ラックに架設されるＬＣＤ用パネルの正面図である。
【図１２】前記実施形態による監視システム用ラックに架設されるブランクパネルの図である。
【図１３】前記実施形態による監視システム用ラックに装着される１Ｕのトレーの図である。
【図１４】前記実施形態による監視システム用ラックに装着される２Ｕのトレーの図である。
【符号の説明】
【００８５】
１    監視システム用ラック（ラック）
１ａ・１ｂ    一対の前架
１ｃ・１ｄ    一対の後架
２    監視システム機器（監視機器）
１１    天板
１２    底板
２１    パネル
２２    ユニットシャーシ
５１・５２    一対のガイド板
５１１・５２１    一対の張り出し片
【図１】
2006352027.tif 000003
【図２】
2006352027.tif 000004
【図３】
2006352027.tif 000005
【図４】
2006352027.tif 000006
【図５】
2006352027.tif 000007
【図６】
2006352027.tif 000008
【図７】
2006352027.tif 000009
【図８】
2006352027.tif 000010
【図９】
2006352027.tif 000011
【図１０】
2006352027.tif 000012
【図１１】
2006352027.tif 000013
【図１２】
2006352027.tif 000014
【図１３】
2006352027.tif 000015
【図１４】
2006352027.tif 000016